(57)【要約】【課題】幼年期に幼稚園や保育園で作成した絵画などの作品をファイリングするのに特に適した便利なファイルを提供する。【解決手段】背表紙を介して表表紙と裏表紙とが開閉可能に連なる本体と、前記背表紙の内側面若しくは前記裏表紙の内側面、またはその両方に取り付けられる保持具とを具備するファイルであって、前記表表紙210の内側面に、少なくとも制作記録欄212、写真貼付欄214及びメッセージ欄216が印刷されていることを特徴とする。【選択図】図３
2010036402.tif 000002
【特許請求の範囲】
【請求項１】
背表紙を介して表表紙と裏表紙とが開閉可能に連なる本体と、前記背表紙の内側面若しくは前記裏表紙の内側面、またはその両方に取り付けられる保持具とを具備するファイルであって、
前記表表紙の内側面に、少なくとも制作記録欄、写真貼付欄及びメッセージ欄が印刷されていることを特徴とする、おもいでファイル。
【請求項２】
両端が前記裏表紙外側面に保持されているゴム紐を更に具備する請求項１記載のおもいでファイル。
【発明の詳細な説明】
【技術分野】
【０００１】
本発明は、幼年期に幼稚園や保育園で描いた絵画作品などを、思い出の記録としてファイリングするのに便利なファイルである、おもいでファイルに関する。
【背景技術】
【０００２】
幼稚園や保育園などの園生活においては、園児がお絵かきをしたり、色紙を切り貼りしたりして多くの作品が作成される。これら作品は、園生活の思い出としてまとめてファイリングされ、園生活の思い出として卒園時に各園児にまとめて手渡す幼稚園や保育所が多い。
【０００３】
従来、このようなファイリングに用いられているのは、市販のファイル、バインダー、フォルダーなどである。市販のファイルの中には、表紙内側に標題、住所、氏名などを記入すべき指示線等を印刷したファイルが存在するが（例えば、特許文献１）、かかる市販ファイルでは単にファイルされる媒体を事務的に整理して保管するのが目的のものであるから、これをそのまま使用すると、将来、園生活の思い出を楽しく感じつつ閲覧するためのファイルとしては適当でない。幼稚園や保育園によっては、市販のファイル、フォルダーを各園で独自に加工して用いているケースもあるが、その労力や負担は大きいものであった。
【特許文献１】実開昭５１−１１７６２２号公報
【発明の開示】
【発明が解決しようとする課題】
【０００４】
本発明はこれらの現状に鑑みてなされたものであり、幼年期に幼稚園や保育園で作成した絵画などの作品をファイリングするのに特に適した便利なファイルである、おもいでファイルを提供するものである。
【課題を解決するための手段】
【０００５】
本発明のおもいでファイルは、背表紙を介して表表紙と裏表紙とが開閉可能に連なる本体と、前記背表紙の内側面若しくは前記裏表紙の内側面、またはその両方に取り付けられる保持具とを具備するファイルであって、前記表表紙の内側面に、少なくとも制作記録欄、写真貼付欄及びメッセージ欄が印刷されていることを最も主要な特徴とする。
【０００６】
両端が前記裏表紙外側面に保持されているゴム紐を更に具備していることが好ましい。
【発明の効果】
【０００７】
本発明のおもいでファイルによれば、表表紙の内側面に制作記録欄が印刷されているので、幼稚園や保育園での行事や、園児の発育段階別のおもいで作品を分類、整理してファイリングすることができ、園生活の思い出として閲覧しやすい。また併せて写真貼付欄及びメッセージ欄も印刷されているので、閲覧時に園生活の思い出をいきいきと感じることができる。
【０００８】
さらに、両端が前記裏表紙外側面に保持されているゴム紐を具備する様態であれば、前記ゴム紐を前記表表紙の開閉端近傍に引っ掛けることにより、おもいでファイルを閉じた状態で保持することができる。かかるゴム紐を表表紙に引っ掛けるファイル開閉手段は、園児が使用するということを考慮しても簡便かつ安全な手段であるので、本発明のおもいでファイルに特に適した開閉手段である。
【発明を実施するための最良の形態】
【０００９】
以下、図面を使用して本発明を説明するが、本発明のおもいでファイルは、図面に記載された様態のみに限定されるものではない。
【００１０】
図１は、本発明のおもいでファイル１００の開いた状態において、本体内側面を示したものである。また図２は、図１の様態のおもいでファイルの使用例を示す本体内側面である。
【００１１】
本体は、背表紙２３０を介して表表紙２１０と裏表紙２２０とが開閉可能に連なったものである。本体の材料としては、軽くて丈夫かつ印刷が容易にできる点から紙や合成樹脂とすることが好ましく、中でも厚紙が好ましい。
【００１２】
さらに本体の背表紙２３０の内側面もしくは裏表紙２２０の内側面、またはその両方には、作品５００を重ねて保持するための保持具３００が取り付けられる。図１では、裏表紙２２０内側面の背表紙２３０側端近傍に保持具３００を具備する様態が示されている。複数の作品５００を綴じるための保持具３００の保持機構は、公知の機構を用いることができる。例えば作品５００を挟んで圧力で綴じる機構や、作品５００の左端近傍または上端近傍などに予めファイル穴をあけておき、当該ファイル穴に引っ掛けて綴じる機構などを挙げることができる。保持具３００の材料としては、複数の作品をしっかり綴じた状態で保持できる強度を有する合成樹脂や、金属を用いることができるが、園児が使用するという安全確保の観点から保持具３００のうち、少なくとも保持機構については、合成樹脂製とすることが好ましい。一方、保持具３００を本体に取り付ける固定具としては、公知の金属製リベットなどが安全かつ簡便である。
【００１３】
また本発明のおもいでファイル１００には、ファイルを閉じた状態で保持する手段として、リベットなどでその両端が前記裏表紙２２０外側面に保持されているゴム紐４００を更に具備するものであることが好ましい。図１では、裏表紙２２０外側面の開閉端近傍の２か所で、その両端がリベット４０２で保持されているゴム紐４００が、裏表紙２２０の上端と下端とを渡って裏表紙２２０の内側面を通っている状態が示されている。ファイルを閉じた状態で保持するには、ゴム紐４００を表表紙２１０の開閉端近傍に引っ掛けることにより行うことができる。ゴム紐４００は、ゴム糸の周りに糸を織ったり編んだりしたものであり、平ゴム、丸ゴム、織りゴム、編みゴム、ゴールゴムなどと呼ばれるものである。ゴム材質だけのものと比べ、耐久性に優れることから、本発明のおもいでファイル１００に用いるのに好適である。ファイルを閉じた状態で保持するという使用目的からは、紐ゴム断面形状としては丸ゴムよりも平ゴムの方が好ましい。
【００１４】
ファイルの大きさは特に制限されず、ファイルされる作品５００の大きさによって適宜定めることができるが、ファイルされる作品５００のうちの最大の作品がはみ出すことなく収納できる大きさとすることが適当である。例えば、最大の作品が四つ切り用紙で作成されている場合、おもいでファイル１００の表表紙２１０及び裏表紙２２０の大きさは、縦４１ｃｍ×横５６ｃｍ程度の大きさとすることが適当である。また、最大の作品がＢ４用紙で作成されている場合、おもいでファイル１００の表表紙２１０及び裏表紙２２０の大きさは、縦３０ｃｍ×横４４ｃｍ程度の大きさとすることが適当である。なお背表紙２３０の横幅は、取り付けられる保持具３００の幅などに応じて適宜定めることができる。
【００１５】
図３は、本発明のおもいでファイル１００の表表紙２１０内側面のみを示す図である。本発明のおもいでファイル１００の表表紙２１０内側面には、図３のとおり制作記録欄２１２、写真貼付欄２１４及びメッセージ欄２１６が印刷されている。なおこれら以外の記載欄を更に印刷してもよい。印刷の方法としては、公知の印刷手段を採用することができ、例えばスクリーン印刷、グラビア印刷などを挙げることができる。本発明のおもいでファイル１００には、園生活で作成した作品をファイルすることに特化した上記のような欄が予め印刷されているので、従来、園側が負担してきた、ファイルを独自に加工する労力や負担を大きく軽減させることができる。
【００１６】
制作記録欄２１２は、ファイルされている各作品５００のインデックスとして、各作品の制作日時やタイトル、または作成した場所などを記載できる欄である。これにより、図２の使用例で示したように、こどもの発育過程、幼稚園や保育園の行事の順などで分類・整理して作品をファイルすることができる。
【００１７】
写真貼付欄２１４は、少なくとも１枚の写真を貼付できる欄である。図３では、１枚の写真を貼付する様態であるが、複数の写真を貼付する欄であってもよい。インデックスとして使用する表表紙２１０内側面の写真貼付欄２１４に、図２の使用例で示したように、園生活の写真を貼り付けることにより、後日閲覧した際に、園生活の思い出もいきいきと感じることができる。
【００１８】
メッセージ欄２１６は、幼稚園や保育園の担当の先生や親などが、ファイリングされた作品の評価や上達度、その園児の園生活の様子や評価、卒園にあたっての将来の期待などを記載するための欄である。図２の使用例で示したように、メッセージ欄２１６にこどもへの温かいメッセージが記入されることで、おもいでファイル１００は後日園生活を振り返った際に、かけがえのない思い出の価値も与える。図３に示したメッセージ欄２１６では、先生及び親の両方からのメッセージを記載できる様態が示されているが、担当の先生や親以外にもその園児自身、お友達からのメッセージを記載する欄とすることもできる。
【００１９】
なお、図示しなかったが、表表紙２１０、裏表紙２２０及び背表紙２３０の外側面には、ファイルの表紙として商品名やデザインなど一般的な印刷が施されるのが通常である。その他、園児の施設名、所属組名、氏名などの記入欄の印刷を施してもよい。
【産業上の利用可能性】
【００２０】
本発明のおもいでファイルは、上述のとおり幼稚園や保育園などでこどもが作成した絵画などの作品のファイリングに特化したファイルとして、大きな利用可能性を有する。
【図面の簡単な説明】
【００２１】
【図１】本発明のおもいでファイルの開いた状態における本体内側面。
【図２】おもいでファイルの使用例を示すファイルの開いた状態における本体内側面。
【図３】本発明のおもいでファイルの表表紙内側面。
【符号の説明】
【００２２】
１００  おもいでファイル
２１０  表表紙
２１２  制作記録欄
２１４  写真貼付欄
２１６  メッセージ欄
２２０  裏表紙
２３０  背表紙
３００  保持具
４００  ゴム紐
４０２  リベット（底面）
５００  ファイルされた作品
【図１】
2010036402.tif 000003
【図２】
2010036402.tif 000004
【図３】
2010036402.tif 000005